(57)【特許請求の範囲】
【請求項１】
パイプ（２）と、或る横方向遊び（４）をもってこのパイプ（２）内を延びる少なくとも１本のケーブル（３）との横方向相対変位を防止するための方法であって、
前記少なくとも一つのケーブル（３）が、まず第一に、前記パイプ（２）内に係合され、
複数の固定部材（９）が、ケーブル（３）と前記パイプ（２）の間に形成される方法において、
この方法が以下のステップ、
少なくとも、前記ケーブル（３）を全てパイプ２内に配置した後で、近い端部（１６）と呼ぶパイプ（２）外に位置する一方の端部（１６）と、離れた端部（１７）と呼ぶ、前記パイプ（２）内に位置する他方の端部（１７）とを有する少なくとも１本のダクト（１５）を前記パイプ内に配置するステップと、
固定部材（９）を形成するために選定されたパイプ部分（８）内に前記の離れた端部（１７）を配置するように、前記ダクト（１５）に作用を加えることにより、パイプ（２）内におけるダクト（１５）の前記の離れた端部（１７）の位置を調節するステップと、
近くの端部（１６）からダクト（１５）内に凝固可能な物質（１０）を注入し、固定部材（９）が形成されるまで選定されたパイプ部分（８）内に位置する離れた端部（１７）からこの物質（１０）を出すように、物質を注入するステップと、
ダクト（１５）に作用を加えることにより、固定部材（９）を形成すべき他の選定されたパイプ部分（８）内に、ダクト（１５）の離れた端部（１７）を動かすステップと、
前記固定部材を形成し、すべての固定部材（９）が形成されるまで、これらの手順を続けるステップとを有することを特徴とする方法。
【請求項２】
パイプ（２）と、このパイプ内を延びる少なくとも１本のケーブル（３）との横方向相対変位を防止するために使用され、ケーブル（３）が予め定めた数のストランド（１３）の束（１４）を形成するようにパイプ（２）内に連続的に配置した多数のストランド（１３）で構成される方法において、
少なくともケーブル（３）が、前記パイプ（２）内に形成された後に、各ダクト（１５）をパイプ内に配置することを特徴とする請求項１記載の方法。
【請求項３】
前記パイプ（２）内における前記ダクト（１５）の離れた端部（１７）の位置が、特に近くの端部（１６）から引張って前記ダクト（１５）に作用を加えることによって調節されることを特徴とする請求項１または２に記載の方法。
【請求項４】
パイプ（２）内における離れた端部（１７）の位置を調節するために、パイプ（２）の外側に位置するダクト（１５）の近くの端部（１６）に作用を加えることによって、前記ダクト（１５）に制御された力が加わり、
パイプ内にダクト（１５）が配置されているときにパイプの近くの端部（１６）に引張り力を加えることにより、パイプ（２）内のダクト（１５）の離れた端部（１７）の位置の前記調節を可能にするために、固定部材（９）の形成のために選定されたパイプ（２）の第１の部分（８）の方にダクトの離れた端部（１９）を引っ張ることができるように、ダクト（１５）が配置されることを特徴とすることを特徴とする請求項３記載の方法。
【請求項５】
ケーブル（３）と前記パイプ（２）の間に挿入される固定部材（９）を受け入れるための選定されたパイプ部分（８）の縦方向寸法（Ｌ８）の値の決定時に、パイプ（２）および／またはケーブル（３）の変位を防止するために前記固定部材（９）を形成する物質（１０）の性能が考慮されることを特徴とする請求項１〜４のいずれか一つに記載の方法。
【請求項６】
軸方向直角断面の下側部分（１８）と軸方向直角断面の上側部分（１９）を有する選定されたパイプ部分（８）において、固定部材（９）が、選定されたパイプ部分（８）の軸方向直角断面の上側部分（１９）内でケーブル（３）をパイプ（２）に接触させるように、選定されたパイプ部分（８）の軸方向直角断面の下側部分（１８）内に形成されることを特徴とする請求項５記載の方法。
【請求項７】
軸方向直角断面の下側部分（１８）と軸方向直角断面の上側部分（１９）を有する選定されたパイプ部分（８）において、固定部材（９）が、選定されたパイプ部分（８）の軸方向直角断面の下側部分（１８）内でケーブル（３）をパイプ（２）に接触させるように、選定されたパイプ部分（８）の軸方向直角断面の上側部分（１９）内に形成されることを特徴とする請求項５記載の方法。
【請求項８】
各々の固定部材（９）を形成する際にポリウレタンフォームが使用されることを特徴とする請求項１〜７のいずれか一つに記載の方法。
【請求項９】
請求項１〜８のいずれか一つに記載の方法に従って処置されたパイプ（２）とケーブル（３）からなるアセンブリ（１）において、予め定められた縦方向寸法（Ｌ８）を有する、パイプ（２）の少なくとも１つの部分（８）を備え、この部分（８）内で少なくとも１個の固定部材（９）がケーブル（３）と前記パイプ（２）の間に局所的に形成されて配置され、この少なくとも１個の固定部材（９）が、少なくとも１つの選定された前記パイプ部分（８）においてケーブル（３）とパイプ（２）の間に存在する横方向遊び（４）を抑制するような性質を有することを特徴とするアセンブリ。
【請求項１０】
請求項１〜８のいずれか一つに記載の方法に従って処置されたパイプ（２）とケーブル（３）からなるアセンブリ（１）において、少なくとも１個の固定部材（９）が予め定められた縦方向寸法（Ｌ８）を有する、パイプ（２）の少なくとも１つの部分（８）においてケーブル（３）とパイプ（２）の間に位置し、固定部材（９）がパイプ内に注入後、凝固する物質（１０）をパイプ（２）内に局所的に注入することによって形成されていることを特徴とするアセンブリ。
【請求項１１】
請求項１〜８のいずれか一つに記載の方法に従って処置されたパイプ（２）とケーブル（３）とからなる少なくとも１個のアセンブリを備えた構造体（７）。
【請求項１２】
請求項１〜８のいずれか一つに記載の方法に従って処置されたパイプ（２）とケーブル（３）とからなる少なくとも１個のアセンブリを備えた控え構造体（７）。
【発明の詳細な説明】
【０００１】
【発明の属する技術分野】
本発明は、パイプと、或る横方向遊びをもってこのパイプ内を延びる少なくとも１本のケーブルとの横方向相対変位を防止するための方法に関する。本発明は更に、上記の方法に従って互いに不動化されるケーブルとパイプによって作られたアセンブリに関する。本発明は更に、上記の少なくとも１個のアセンブリを含む控え構造体に関する。
【０００２】
【従来の技術】
吊橋、斜張橋、スタジアム天井、建築物、通信塔等のような控え構造体のために、排他的ではないが特にケーブルが使用される。
【０００３】
このようなケーブルは保護配管内に埋め込まれた少なくとも１本のストランドからなっているが一般的には、このようなケーブルはストランドの束によって形成されている。
【０００４】
例えば、各々のストランドは金属ワイヤによって形成された多数の単一ストランドからなっている。
【０００５】
各々のストランドは裸の金属ストランドからなっていてもよいし、個々にグリース処理および被覆された単一ストランドからなっていてもよい。
【０００６】
パイプは特に頑丈な外側控えパイプである。このパイプはケーブルの耐久性を生じるためにケーブルを被包する。
【０００７】
控えシステムの構造によって、控えパイプとも呼ばれるパイプは一般的に、控えケーブルとも呼ばれるケーブルのための２つの固着個所の間に配置される。そして、ケーブルは特にケーブルストランドを連続的に挿入することによってパイプ内に形成される。
【０００８】
この構成方法は、ケーブルの外径よりも非常に大きな内径を有するパイプの使用する。
【０００９】
このように控えが形成されているときには、パイプとケーブルの間に大きな遊びが生じ、この横方向遊びは、風の作用のような、パイプの外面に作用する動かす力の作用を受けて、２つの要素（上記パイプと上記ケーブル）の相対的な横方向変位を生じるのに充分な大きさである。
【００１０】
動かす力の強さが変化するときに、ケーブルががたつくことがあり、このがたつきは騒音と、アセンブリの寿命を短縮する機械的作用とを発生する。
【００１１】
【発明が解決しようとする課題】
そこで、本発明の目的は、或る遊びをもって互いに組立てられる控えパイプのようなパイプと控えケーブルのようなケーブルとの相対的な変位を、簡単かつ経済的に防止するための方法を提供することである。
【００１２】
本発明の他の目的は、パイプとケーブルの異なる構成に適合する方法を提供することである。
【００１３】
【課題を解決するための手段】
これらの目的を達成するために、本発明は、パイプと、或る横方向遊び（４）をもってこのパイプ内を延びる少なくとも１本のケーブルとの横方向相対変位を防止するための、特に次の特徴を有する方法を提供する。
【００１４】
本発明に従い、この方法が以下のステップ、
少なくとも、前記ストランド（１３）を全てパイプ２内に配置した後で、近い端部（１６）と呼ぶパイプ（２）外に位置する一方の端部（１６）と、離れた端部（１７）と呼ぶ、前記パイプ（２）内に位置する他方の端部（１７）とを有する少なくとも１本のダクト（１５）を前記パイプ内に配置するステップと、
固定部材（９）を形成するために選定されたパイプ部分（８）内に前記の離れた端部（１７）を配置するように、前記ダクト（１５）に作用を加えることにより、パイプ（２）内におけるダクト（１５）の前記の離れた端部（１７）の位置を調節するステップと、
近くの端部（１６）からダクト（１５）内に物質（１０）を注入し、固定部材（９）が形成されるまで選定されたパイプ部分（８）内に位置する離れた端部（１７）からこの物質（１０）を再び出すように、物質を注入するステップと、
ダクト（１５）に作用を加えることにより、固定部材（９）を形成すべき他の選定されたパイプ部分（８）内に、ダクト（１５）の離れた端部（１７）を動かすステップと、
前記固定部材を形成し、すべての固定部材（９）が形成されるまで、これらの手順を続けるステップとを有する。
【００１５】
本発明は更に、
本発明の方法に従って処置された、すなわち上記の方法に従って互いに不動化されたケーブルとパイプからなるアセンブリと、
上記種類の少なくとも１つのアセンブリを含む構造体に関する。
【００１６】
【発明の実施の形態】
図を参照して次の記載を読むことによって、本発明が一層良好に理解されるであろう。次の記載は本発明を制限する例ではない。
【００１７】
図には、少なくとも１本のパイプ２と１本のケーブル３とを備えたアセンブリ１が示してある。ケーブルは、充分な横方向遊びをもってこのパイプ２内に挿入されている。それによって、２つの要素、すなわち上記パイプ２と上記ケーブル３は、例えばパイプ２の外面に加えられる動かす力５の作用を受けて横方向に相対的に変位することができる。
【００１８】
図３において、動かす力５は大きな破断矢印によって示され、パイプ２の変位は一点鎖線で示してある。
【００１９】
パイプ２とケーブル３はそれぞれ、予め決定された縦方向寸法Ｌ２，Ｌ３を有し、ケーブル３は少なくとも一部、一般的にはパイプ２の縦方向寸法Ｌ２全体がパイプ２にわたって挿入されている。
【００２０】
パイプ２とケーブル３の相対的な横方向変位は、ケーブル３および／またはパイプ２の可撓性が橋７としての控え構造体（斜張構造体）７の場合にしばしば起こるこのような変位を許容するのに充分であるときに発生し得る。
【００２１】
図１には、本発明を理解しやすくするために、このような構造体７は簡単化しておよび細部を実際よりも拡大して示してある。
【００２２】
ケーブル３はそれぞれ、その端部３０，３１が構造体７に連結されたアンカー装置７０，７１に固着されている。
【００２３】
同様に、パイプ２はそれぞれ、その端部２０，２１がケーブル３の端部のアンカー装置７０，７１に固着されている。
【００２４】
アンカー装置７０，７１の技術的な特徴は詳細に図示していないかまたは描写さていない。なぜなら、この特徴が本発明と直接関係がないからである。
【００２５】
上述のように、特に動く力５の強さが変化（変動）するときに、この動く力５はケーブル３上でパイプ２を揺らす。その結果、騒音と機械的な作用が生じ、パイプ２とケーブル３のアセンブリの寿命に不利な影響を及ぼす。
【００２６】
このようなガタガタ揺れる現象は、橋７のような控え構造体７だけに発生するのではなく、このような控え構造体７にはよくあることである。
【００２７】
その理由は、ケーブル３が特に、吊橋、斜張橋、スタジアム天井、建築物、通信塔等のような控え構造体７のための使用されるケーブル３であることにある。
【００２８】
図示のように、パイプ２は吊橋７の控えケーブル３のようなケーブル３を保護するためのものであり、この場合上記の動く力５は特に風の作用によって生じる。
【００２９】
本発明はパイプ２と、このパイプ２内で或る程度の横方向遊びをもって延びる少なくとも１本のケーブル３との横方向相対変位を防止するための方法に関する。
【００３０】
本発明では、この方法は次のステップ、すなわち
予め定めた縦方向寸法Ｌ８を有する、パイプ２の少なくとも１つの部分８を選定するステップと、
そしてパイプ２内にケーブル３を挿入すると共に、選定されたこの少なくとも１つの部分８内でケーブル３とパイプ２の間に存在する横方向遊び４を抑制するように、或る性質の少なくとも１個の固定部材９を、ケーブル３とパイプ２の間に局所的に形成するステップとからなっている。
【００３１】
本発明による方法では、上記の固定部材９はパイプ内に注入後、凝固する物質１０をパイプ２内に局所的に注入することによって形成される。
【００３２】
注目すべき方法では、ポリウレタンフォームが各々の固定部材９を形成する際に使用される。
【００３３】
本発明の方法の第１の実施の形態では、パイプ２内の局所に物質１０を注入する際に、横方向に向いた少なくとも１つの孔１１が選定されたパイプ部分８の予め定めた場所でパイプ壁１２に前もって設けられている。
【００３４】
当業者には、固定部材９を形成しなければならないパイプ２の各々の部分の位置と長さＬ８の決定方法が判るであろう。
【００３５】
パイプ２内への物質１０の注入がこのパイプ２の壁の前もって選定された部分８に前もって形成された孔１１を経て行わなければならないときには、当業者には、このパイプ２への物質１０の注入作業のための壁１２のオリフィス１１を穿孔する作業のために最も適した手段の選択方法が判るであろう。
【００３６】
穿孔手段は図示していない。
【００３７】
注入手段は円で囲んだ９０のマーク（図７）によって簡単に示した。
【００３８】
ケーブル３は予め定めた数のストランド１３の束１４を形成するように、パイプ２内に連続して配置した多数のストランド１３からなっている。
【００３９】
パイプ２内にケーブル３を形成するこの技術については、これ以上詳しく説明しない。なぜなら、この技術が本発明の一部を構成しないからである。
【００４０】
更に、当業者は、パイプ２内にケーブル３を形成するためのいろいろな技術を知っており、本発明による方法はこれらの技術とは無関係である。
【００４１】
本発明の方法の第２の実施の形態では、物質１０は次のステップ、すなわち、  少なくとも、上記ストランド１３を全てパイプ２内に配置した後で、例えば近い端部と呼ぶパイプ外に位置する一方の端部１６と、離れた端部１７と呼ぶ、上記パイプ２内に位置する他方の端部１７とを有する少なくとも１本のダクト１５を上記パイプ内に配置するステップと、
固定部材９を形成するために選定されたパイプ部分８内に上記の離れた端部１７を配置するように、上記ダクト１５に作用を加えることにより、パイプ２内におけるダクト１５の上記の離れた端部１７の位置を調節するステップと、
近くの端部１６からダクト１５内に上記物質１０を注入し、固定部材９が形成されるまで選定されたパイプ部分８内に位置する離れた端部１７からこの物質１０を再び出すステップと
によって、上記パイプ２内に局所的に注入される。
【００４２】
本発明の方法では、少なくともケーブルがパイプ２内に配置された後で、好ましくは上記ケーブル３が上記パイプ２内に形成される前に、各々のダクト１５がパイプ内に配置される。
【００４３】
本発明の方法では、多数の固定部材９をパイプ２内に形成する必要があるときには、この方法は次のステップ、すなわち
ダクト１５に作用を加えることにより、固定部材９を形成すべき他の選定されたパイプ部分８内に、ダクト１５の離れた端部１７を動かすステップと、
上記固定部材を形成し、すべての固定部材９が形成されるまで、これらの手順を続けるステップとからなっている。
【００４４】
注目すべき方法では、上記パイプ２内における上記ダクト１５の離れた端部１７の位置が、特に近くの端部１６から引張って上記ダクト１５に作用を加えることによって調節される。
【００４５】
本発明の方法では、
パイプ２内における離れた端部１７の位置を調節するために、パイプ２の外側に位置するダクト１５の近くの端部１６に作用を加えることによって、上記ダクト１５に制御された力が加えられ、
パイプ内にダクト１５が配置されているときにパイプの近くの端部１６に引張り力を加えることにより、パイプ２内のダクト１５の離れた端部１７の位置の上記調節を可能にするために、固定部材９の形成のために選定されたパイプ２の第１の部分８の方にダクトの離れた端部１７を引っ張ることができるように、ダクト１５が配置される。
【００４６】
例えばダクト１５の近くの端部１６は、パイプの両端領域２０，２１の一方のレベルで、パイプを越えている。パイプ２内の離れた端部１７の位置の調節は、上記ダクト１５、そして近くの端部１６を引っ張ることによって行われる。
【００４７】
ダクト１５のこの近くの端部１６は、パイプ２の壁１２に特別に形成された切欠きを通ってパイプを越えている。
【００４８】
注目すべき方法では、ケーブル３と上記パイプ２の間に挿入される固定部材９を受け入れるための選定されたパイプ部分８の縦方向寸法Ｌ８の決定時に、パイプ２および／またはケーブル３の変位を妨害するための上記固定部材９を形成する物質１０の性能が考慮される。
【００４９】
注目すべき方法では、軸方向直角断面の下側部分１８と軸方向直角断面の上側部分１９を有する選定されたパイプ部分８において、固定部材９は、選定されたパイプ部分８の軸方向直角断面の下側部分１８内でケーブル３をパイプ２に接触させるように、選定されたパイプ部分８の軸方向直角断面の下側部分１８内に形成されている。
【００５０】
他の注目すべき方法では、軸方向直角断面の下側部分１８と軸方向直角断面の上側部分１９を有する選定されたパイプ部分８において、固定部材９は、選定されたパイプ部分８の軸方向直角断面の下側部分１８でケーブル３をパイプ２に接触保持するように、選定されたパイプ部分８の軸方向直角断面の上側部分１９内に形成されている。
【００５１】
上述のように、本発明は更に、上記の方法によって処置された、すなわち、上記方法によって相対的に動かないように（不動化）したパイプ２とケーブル３からなるアセンブリ１に関する。
【００５２】
本発明の方法に従って処置されたパイプ２とケーブルからなるアセンブリ１の注目すべき点は、予め定められた縦方向寸法Ｌ８を有する少なくとも１つのパイプ部分８を備え、この部分８内で少なくとも１個の固定部材９がケーブル３と上記パイプ２の間に局所的に形成されて配置され、この少なくとも１個の固定部材９が、少なくとも１つの選定されたパイプ部分８においてケーブル３とパイプ２の間に存在する横方向遊び４を抑制するような性質を有することにある。
【００５３】
同様に、本発明による方法に従って処置されたパイプ２とケーブル３からなるアセンブリ１の注目すべき点は、少なくとも１個の固定部材９が予め定められた縦方向寸法Ｌ８を有する少なくとも１つのパイプ部分８においてケーブル３とパイプ２の間に位置し、固定部材９がパイプ内に注入後、凝固する物質１０をパイプ２内に局所的に注入することによって形成されることにある。
【００５４】
上記のように、本発明は更に上記種類のパイプ２とケーブル３からなる少なくとも１個のアセンブリ１を備えた構造体７に関する。
【図面の簡単な説明】
【図１】  それぞれケーブルとパイプからなる２個のアセンブリを備えた構造体の側面図である。
【図２】  図１のアセンブリ１を形成するケーブルとパイプの２−２線に沿った拡大横断面図である。
【図３】  風の作用を受けたケーブルとパイプを示す横断面図である。
【図４】  本発明の方法に従って相対的に不動化されたケーブルとパイプの横断面図である。
【図５】  本発明の方法の変形に従って不動化する間のパイプとケーブルの縦方向区間を示す部分図である。
【図６】  本発明の方法の他の変形に従って不動化する間のパイプとケーブルの縦方向区間を示す部分図である。
【図７】  本発明の方法に従って不動化する間のパイプとケーブルの縦方向区間を示す図である。
【符号の説明】
１                  アセンブリ
２                  パイプ
３                  ケーブル
４                  横方向遊び
５                  動かす力
６                  パイプ外面
７                  構造体
８                  選定されたパイプ部分
９                  固定部材
１０                物質
１１                孔
１２                パイプ壁
１３                ストランド
１４                束
１５                ダクト
１６                近い端部
１７                離れた端部
１８                軸方向直角断面の下側部分
１９                軸方向直角断面の上側部分
Ｌ８                縦方向寸法
【図１】
0004275449.tif 000002
【図２】
0004275449.tif 000003
【図３】
0004275449.tif 000004
【図４】
0004275449.tif 000005
【図５】
0004275449.tif 000006
【図６】
0004275449.tif 000007
【図７】
0004275449.tif 000008